(57)【要約】  本開示は、通信技術分野に関するデータ伝送方法及び装置を提供する。該データ伝送方法は、データ伝送装置に適用され、データ伝送を行う際に使用される、１つのスロット内でのターゲットデータの単回伝送と１つのスロット内でのターゲットデータの複数回の重複伝送とのうちの１つを含む伝送タイプを特定することと、前記伝送タイプが、１つのスロット内でのターゲットデータの複数回の重複伝送である場合には、各スロット内で前記ターゲットデータを重複伝送する回数を特定することと、各スロットで前記ターゲットデータを重複伝送する回数に基づいて、前記ターゲットデータを伝送することと、を含む。【選択図】  図１
2021525017.tif 000002
【特許請求の範囲】
【請求項１】
データ伝送装置に適用されるデータ伝送方法であって、
データ伝送を行う際に使用される、１つのスロット内でのターゲットデータの単回伝送と１つのスロット内でのターゲットデータの複数回の重複伝送とのうちの１つを含む伝送タイプを特定することと、
前記伝送タイプが、１つのスロット内でのターゲットデータの複数回の重複伝送である場合には、各スロット内で前記ターゲットデータを重複伝送する回数を特定することと、
各スロットで前記ターゲットデータを重複伝送する回数に基づいて、前記ターゲットデータを伝送することと、を含むデータ伝送方法。
【請求項２】
データ伝送を行う際に使用される伝送タイプを特定することは、
１つのスロット内で最初伝送の時間周波数リソース位置における開始ＯＦＤＭシンボル位置を取得することと、
開始ＯＦＤＭシンボル位置に基づいて、データ伝送を行う際に使用される伝送タイプを特定することと、を含む請求項１に記載のデータ伝送方法。
【請求項３】
開始ＯＦＤＭシンボル位置に基づいて、データ伝送を行う際に使用される伝送タイプを特定することは、
前記開始ＯＦＤＭシンボル位置のインデックスが所定値より小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、を含む請求項２に記載のデータ伝送方法。
【請求項４】
開始ＯＦＤＭシンボル位置に基づいて、データ伝送を行う際に使用される伝送タイプを特定することは、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、を含む請求項２に記載のデータ伝送方法。
【請求項５】
前記第１所定のタイプが奇数タイプであり、前記第２所定のタイプが偶数タイプである請求項４に記載のデータ伝送方法。
【請求項６】
データ伝送を行う際に使用される伝送タイプを特定することは、
伝送タイプの指示情報を取得することと、
前記伝送タイプの指示情報に基づいて、データ伝送を行う際に使用される伝送タイプを特定することと、を含む請求項１に記載のデータ伝送方法。
【請求項７】
前記伝送タイプの指示情報が、ターゲットデータシンボル割り当てテーブルの各インデックスの後に新たに追加された、伝送タイプを指示するためのフィールドである請求項６に記載のデータ伝送方法。
【請求項８】
各スロット内で前記ターゲットデータを重複伝送する回数を特定することは、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数の重複伝送を完成できない場合には、各スロット内で前記ターゲットデータを重複伝送する回数を特定することと、を含み、
各スロットでの前記ターゲットデータを重複伝送するためのリソースが同じであり、前記ターゲットデータの前記ターゲット回数の重複伝送の完成によって占有されるスロットが最も少ない、請求項１に記載のデータ伝送方法。
【請求項９】
各スロット内で前記ターゲットデータを重複伝送する回数を特定することは、
式：Ｍ＝Ｋ／Ｎに基づいて、各スロット内で前記ターゲットデータを重複伝送する回数を特定することを含み、
ここで、Ｍは各スロットでの伝送回数であり、Ｋはターゲット回数であり、Ｎは前記ターゲットデータの伝送によって占有されるスロットの数である、請求項８に記載のデータ伝送方法。
【請求項１０】
前記ターゲットデータがＰＵＳＣＨ（Ｐｈｙｓｉｃａｌ  Ｕｐｌｉｎｋ  Ｓｈａｒｅｄ  Ｃｈａｎｎｅｌ）である場合、前記データ伝送装置が端末であり、前記データ伝送は、第一タイプの上りスケジューリングフリー伝送、第二タイプの上りスケジューリングフリー伝送又は上り動的スケジューリング伝送である、請求項１〜９のいずれか１項に記載のデータ伝送方法。
【請求項１１】
前記ターゲットデータがＰＤＳＣＨ（Ｐｈｙｓｉｃａｌ  Ｄｏｗｎｌｉｎｋ  Ｓｈａｒｅｄ  Ｃｈａｎｎｅｌ）である場合、前記データ伝送装置がネットワーク機器であり、前記データ伝送は、下り動的スケジューリング伝送、又は下り半持続スケジューリング伝送である、請求項１〜９のいずれか１項に記載のデータ伝送方法。
【請求項１２】
データ伝送装置であって、メモリと、プロセッサと、前記メモリに記憶されている、前記プロセッサ上で実行可能なコンピュータプログラムとを含み、
前記プロセッサが前記コンピュータプログラムを実行すると、
データ伝送を行う際に使用される、１つのスロット内でのターゲットデータの単回伝送と１つのスロット内でのターゲットデータの複数回の重複伝送とのうちの１つを含む伝送タイプを特定することと、
前記伝送タイプが、１つのスロット内でのターゲットデータの複数回の重複伝送である場合には、各スロット内で前記ターゲットデータを重複伝送する回数を特定することと、
各スロットで前記ターゲットデータを重複伝送する回数に基づいて、前記ターゲットデータを伝送することと、を実現する、データ伝送装置。
【請求項１３】
前記プロセッサが前記コンピュータプログラムを実行すると、
１つのスロット内で最初伝送の時間周波数リソース位置における開始ＯＦＤＭシンボル位置を取得することと、
開始ＯＦＤＭシンボル位置に基づいて、データ伝送を行う際に使用される伝送タイプを特定することと、が実現される、請求項１２に記載のデータ伝送装置。
【請求項１４】
前記プロセッサが前記コンピュータプログラムを実行すると、
前記開始ＯＦＤＭシンボル位置のインデックスが所定値より小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、が実現される請求項１３に記載のデータ伝送装置。
【請求項１５】
前記プロセッサが前記コンピュータプログラムを実行すると、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、が実現される請求項１３に記載のデータ伝送装置。
【請求項１６】
前記第１所定のタイプが奇数タイプであり、前記第２所定のタイプが偶数タイプである請求項１５に記載のデータ伝送装置。
【請求項１７】
前記プロセッサが前記コンピュータプログラムを実行すると、
伝送タイプの指示情報を取得することと、
前記伝送タイプの指示情報に基づいて、データ伝送を行う際に使用される伝送タイプを特定することと、が実現される請求項１２に記載のデータ伝送装置。
【請求項１８】
前記伝送タイプの指示情報が、ターゲットデータシンボル割り当てテーブルの各インデックスの後に新たに追加された、伝送タイプを指示するためのフィールドである請求項１７に記載のデータ伝送装置。
【請求項１９】
前記プロセッサが前記コンピュータプログラムを実行すると、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数の重複伝送を完成できない場合には、各スロット内で前記ターゲットデータを重複伝送する回数を特定することと、が実現され、
各スロットでの前記ターゲットデータを重複伝送するためのリソースが同じであり、前記ターゲットデータの前記ターゲット回数の重複伝送の完成によって占有されるスロットが最も少ない、請求項１２に記載のデータ伝送装置。
【請求項２０】
前記プロセッサが前記コンピュータプログラムを実行すると、
式：Ｍ＝Ｋ／Ｎに基づいて、各スロット内で前記ターゲットデータを重複伝送する回数を特定することが実現され、
Ｍは各スロットでの伝送回数であり、Ｋはターゲット回数であり、Ｎは前記ターゲットデータの伝送によって占有されるスロットの数である、請求項１９に記載のデータ伝送装置。
【請求項２１】
前記ターゲットデータがＰＵＳＣＨである場合、前記データ伝送装置が端末であり、前記データ伝送は、第一タイプの上りスケジューリングフリー伝送、第二タイプの上りスケジューリングフリー伝送又は上り動的スケジューリング伝送である、請求項１２〜２０のいずれか１項に記載のデータ伝送装置。
【請求項２２】
前記ターゲットデータがＰＤＳＣＨである場合、前記データ伝送装置がネットワーク機器であり、前記データ伝送は、下り動的スケジューリング伝送、又は下り半持続スケジューリング伝送である、請求項１２〜２０のいずれか１項に記載のデータ伝送装置。
【請求項２３】
プロセッサによって実行されると、請求項１〜１１のいずれか１項に記載のデータ伝送方法におけるステップを実現するコンピュータプログラムを記憶しているコンピュータ可読記憶媒体。
【請求項２４】
データ伝送装置であって、
データ伝送を行う際に使用される、１つのスロット内でのターゲットデータの単回伝送と１つのスロット内でのターゲットデータの複数回の重複伝送とのうちの１つを含む伝送タイプを特定することに用いられる第１特定モジュールと、
前記伝送タイプが、１つのスロット内でのターゲットデータの複数回の重複伝送である場合には、各スロット内で前記ターゲットデータを重複伝送する回数を特定することに用いられる第２特定モジュールと、
各スロットで前記ターゲットデータを重複伝送する回数に基づいて、前記ターゲットデータを伝送することに用いられる伝送モジュールと、を含むデータ伝送装置。
【発明の詳細な説明】
【技術分野】
【０００１】
本願は、２０１８年４月２０日に中国に出願された中国特許出願番号２０１８１０３６０６３７．Ｘの優先権を主張し、その内容全体が援用により本明細書に組み込まれる。
本開示は、通信技術分野に関し、特に、データ伝送方法及び装置に関する。
【背景技術】
【０００２】
移動通信サービス需要の発展に伴い、３ＧＰＰ（３ｒｄ  Ｇｅｎｅｒａｔｉｏｎ  Ｐａｒｔｎｅｒｓｈｉｐ  Ｐｒｏｊｅｃｔ）などの複数の組織は、将来の移動通信システムについて新たな無線通信システム（即ち、５Ｇ  ＮＲ（５ｔｈ  Ｇｅｎｅｒａｔｉｏｎ  Ｎｅｗ  Ｒａｄｉｏ  Ａｃｃｅｓｓ  Ｔｅｃｈｎｏｌｏｇｙ））の研究に着手している。５Ｇ  ＮＲシステムでは、遅延の低減、信頼性の向上、及び制御シグナリングのオーバーヘッドの低減のために、第一タイプの上りスケジューリングフリー伝送スキーム及び第二タイプの上りスケジューリングフリー伝送スキームが登場している。
【０００３】
５Ｇ  ＮＲシステムでは、上りデータ伝送ＰＵＳＣＨ（Ｐｈｙｓｉｃａｌ  Ｕｐｌｉｎｋ  Ｓｈａｒｅｄ  Ｃｈａｎｎｅｌ）のリソース割り当てについて、マッピングタイプＡ（ｍａｐｐｉｎｇ  ｔｙｐｅ  Ａ）スキームとマッピングタイプＢ（ｍａｐｐｉｎｇ  ｔｙｐｅ  Ｂ）スキームが登場している。現在の３ＧＰＰ技術面の協議において、第一タイプの上りスケジューリングフリー伝送スキーム及び第二タイプの上りスケジューリングフリー伝送スキームに対して、重複伝送及びｍａｐｐｉｎｇ  ｔｙｐｅ  Ａスキームが使用される場合、スロット（ｓｌｏｔ）レベルでの重複上りデータ伝送のみがサポートされ、すなわち、ＰＵＳＣＨの複数の重複は、１つのスロットには出現できず、異なるスロットに出現しなければならない。また、それぞれのスロット内のＰＵＳＣＨが占有するＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル位置は同じである。しかしながら、関連技術において、第一タイプの上りスケジューリングフリー伝送スキームと第二タイプの上りスケジューリングフリー伝送スキームに対して、重複伝送とマッピングタイプＢのスキームを用いた場合に、どのように上りデータの重複伝送をサポートするかについては、明確な解決手段はない。
【発明の概要】
【発明が解決しようとする課題】
【０００４】
本開示の実施例は、関連技術において、第一タイプの上りスケジューリングフリー伝送スキーム及び第二タイプの上りスケジューリングフリー伝送について、１つのスロットでデータの複数回の重複伝送をサポートすることを実現するスキームが提供されず、ネットワークの柔軟性が乏しいという問題を解決するためのデータ伝送方法及び装置を提供する。
【課題を解決するための手段】
【０００５】
上記技術問題を解決するために、本開示の実施例は、データ伝送装置に適用されるデータ伝送方法を提供する。
該データ伝送方法は、
データ伝送を行う際に使用される、１つのスロット内でのターゲットデータの単回伝送（Ｓｉｎｇｌｅ  ｔｒａｎｓｍｉｓｓｉｏｎ）と１つのスロット内でのターゲットデータの複数回の重複伝送とのうちの１つを含む伝送タイプを特定することと、
前記伝送タイプが、１つのスロット内でのターゲットデータの複数回の重複伝送である場合には、各スロット内で前記ターゲットデータを重複伝送する回数を特定することと、
各スロットで前記ターゲットデータを重複伝送する回数に基づいて、前記ターゲットデータを伝送することと、を含む。
【０００６】
選択的に、データ伝送を行う際に使用される伝送タイプを特定することは、
１つのスロット内で最初伝送の時間周波数リソース位置における開始ＯＦＤＭシンボル位置を取得することと、
開始ＯＦＤＭシンボル位置に基づいて、データ伝送を行う際に使用される伝送タイプを特定することと、含む。
【０００７】
さらに、開始ＯＦＤＭシンボル位置に基づいて、データ伝送を行う際に使用される伝送タイプを特定することは、
前記開始ＯＦＤＭシンボル位置のインデックスが所定値より小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、を含む。
【０００８】
さらに、開始ＯＦＤＭシンボル位置に基づいて、データ伝送を行う際に使用される伝送タイプを特定することは、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、を含む。
具体的には、前記第１所定のタイプが奇数タイプであり、前記第２所定のタイプが偶数タイプである。
【０００９】
選択的に、データ伝送を行う際に使用される伝送タイプを特定することは、
伝送タイプの指示情報を取得することと、
前記伝送タイプの指示情報に基づいて、データ伝送を行う際に使用される伝送タイプを特定することと、を含む。
具体的に、前記伝送タイプの指示情報が、ターゲットデータシンボル割り当てテーブルの各インデックスの後に新たに追加された、伝送タイプを指示するためのフィールドである。
【００１０】
具体的には、各スロット内で前記ターゲットデータを重複伝送する回数を特定することは、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数の重複伝送を完成できない場合には、各スロット内で前記ターゲットデータを重複伝送する回数を特定することと、を含み、
ここで、各スロットでの前記ターゲットデータを重複伝送するためのリソースが同じであり、前記ターゲットデータの前記ターゲット回数の重複伝送の完成によって占有されるスロットの数が最も少ない。
【００１１】
選択的には、各スロット内で前記ターゲットデータを重複伝送する回数を特定することは、
式：Ｍ＝Ｋ／Ｎに基づいて、各スロット内で前記ターゲットデータを重複伝送する回数を特定することを含み、
ここで、Ｍは各スロットの伝送回数であり、Ｋはターゲット回数であり、Ｎは前記ターゲットデータの伝送によって占有されるスロットの数である。
【００１２】
さらに、前記ターゲットデータがＰＵＳＣＨである場合、前記データ伝送装置が端末であり、前記データ伝送は、第一タイプの上りスケジューリングフリー伝送、第二タイプの上りスケジューリングフリー伝送、又は、上り動的スケジューリング伝送を含む。
【００１３】
さらに、前記ターゲットデータがＰＤＳＣＨである場合、前記データ伝送装置がネットワーク機器であり、前記データ伝送は、下り動的スケジューリング伝送、又は下り半持続スケジューリング伝送を含む。
【００１４】
本開示の実施例は、さらに、メモリと、プロセッサと、前記メモリに記憶されている、前記プロセッサ上で実行可能なコンピュータプログラムとを含むデータ伝送装置を更に提供する。ここで、前記プロセッサが前記コンピュータプログラムを実行すると、
データ伝送を行う際に使用される、１つのスロット内でのターゲットデータの単回伝送と１つのスロット内でのターゲットデータの複数回の重複伝送とのうちの１つを含む伝送タイプを特定することと、
前記伝送タイプが、１つのスロット内でのターゲットデータの複数回の重複伝送である場合には、各スロット内で前記ターゲットデータを重複伝送する回数を特定することと、
各スロットで前記ターゲットデータを重複伝送する回数に基づいて、前記ターゲットデータを伝送することと、を実現する。
【００１５】
選択的に、前記プロセッサが前記コンピュータプログラムを実行すると、
１つのスロット内で最初伝送の時間周波数リソース位置における開始ＯＦＤＭシンボル位置を取得することと、
開始ＯＦＤＭシンボル位置に基づいて、データ伝送を行う際に使用される伝送タイプを特定することと、を実現する。
【００１６】
さらに、前記プロセッサが前記コンピュータプログラムを実行すると、
前記開始ＯＦＤＭシンボル位置のインデックスが所定値より小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、を実現する。
【００１７】
さらに、前記プロセッサが前記コンピュータプログラムを実行すると、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、を実現し、
具体的には、前記第１所定のタイプが奇数タイプであり、前記第２所定のタイプが偶数タイプである。
【００１８】
選択的に、前記プロセッサが前記コンピュータプログラムを実行すると、
伝送タイプの指示情報を取得することと、
前記伝送タイプの指示情報に基づいて、データ伝送を行う際に使用される伝送タイプを特定することと、を実現する。
具体的に、前記伝送タイプの指示情報が、ターゲットデータシンボル割り当てテーブルの各インデックスの後に新たに追加された、伝送タイプを指示するためのフィールドである。
【００１９】
選択的に、前記プロセッサが前記コンピュータプログラムを実行すると、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数の重複伝送を完成できない場合には、各スロット内で前記ターゲットデータを重複伝送する回数を特定することと、を実現する。
ここで、各スロットでの前記ターゲットデータを重複伝送するためのリソースが同じであり、前記ターゲットデータの前記ターゲット回数の重複伝送の完成によって占有されるスロットの数が最も少ない。
【００２０】
選択的に、前記プロセッサが前記コンピュータプログラムを実行すると、
式：Ｍ＝Ｋ／Ｎに基づいて、各スロット内で前記ターゲットデータを重複伝送する回数を特定することを実現し、
ここで、Ｍは各スロットでの伝送回数であり、Ｋはターゲット回数であり、Ｎは前記ターゲットデータの伝送によって占有されるスロットの数である。
【００２１】
さらに、前記ターゲットデータがＰＵＳＣＨである場合、前記データ伝送装置が端末であり、前記データ伝送は、第一タイプの上りスケジューリングフリー伝送、第二タイプの上りスケジューリングフリー伝送、又は、上り動的スケジューリング伝送を含む。
【００２２】
さらに、前記ターゲットデータがＰＤＳＣＨである場合、前記データ伝送装置がネットワーク機器であり、前記データ伝送は、下り動的スケジューリング伝送、又は下り半持続スケジューリング伝送を含む。
【００２３】
本開示の実施例が、プロセッサによって実行されると、上記データ伝送方法を実現するコンピュータプログラムを記憶しているコンピュータ可読記憶媒体を提供する。
【００２４】
本開示の実施例は、データ伝送装置をさらに提供する。
該データ伝送装置は、
データ伝送を行う際に使用される、１つのスロット内でのターゲットデータの単回伝送と１つのスロット内でのターゲットデータの複数回の重複伝送とのうちの１つを含む伝送タイプを特定することに用いられる第１特定モジュールと、
前記伝送タイプが、１つのスロット内でのターゲットデータの複数回の重複伝送である場合には、各スロット内で前記ターゲットデータを重複伝送する回数を特定することに用いられる第２特定モジュールと、
各スロットで前記ターゲットデータを重複伝送する回数に基づいて、前記ターゲットデータを伝送することに用いられる伝送モジュールと、を含む。
【発明の効果】
【００２５】
本開示の有益な効果は、
上記のスキームによれば、伝送タイプが１つのスロット内でのターゲットデータの複数回の重複伝送である場合に、各タイムスロット内で前記ターゲットデータを重複伝送する回数を特定した後に、その重複伝送の回数に基づいて、ターゲットデータを伝送することにより、１つのスロット上での複数回の重複伝送のスキームを実現し、ネットワーク通信フローを改善し、ネットワーク通信の柔軟性を向上させる。
【図面の簡単な説明】
【００２６】
【図１】本開示の実施例に係るデータ伝送方法のフローチャートである。
【図２】ＰＵＳＣＨの伝送状況を示す模式図その１である。
【図３】ＰＵＳＣＨの伝送状況を示す模式図その２である。
【図４】ＰＵＳＣＨの伝送状況を示す模式図その３である。
【図５】ＰＵＳＣＨの伝送状況を示す模式図その４である。
【図６】本開示の実施例に係るデータ伝送装置のモジュール模式図である。
【図７】本開示の実施例に係るデータ伝送装置の構成模式図である。
【発明を実施するための形態】
【００２７】
本開示の目的、技術案、及びメリットをより明確にするために、添付の図面及び特定の実施例を参照して本開示を以下に詳細に説明する。
【００２８】
本開示に言及される関連概念をまず以下に説明する。
【００２９】
５Ｇ  ＮＲでは、ＰＵＳＣＨ  ｍａｐｐｉｎｇ  ｔｙｐｅ  Ａとは、一つのスロット内のＯＦＤＭシンボル０から３〜１４個のＯＦＤＭシンボルにおいて、ＤＭＲＳ（Ｄｅｍｏｄｕｌａｔｉｏｎ  Ｒｅｆｅｒｅｎｃｅ  Ｓｉｇｎａｌ）がＯＦＤＭシンボル２に位置し、ＰＵＳＣＨに対してＫ（Ｋ＝１、２、４又は８）回の重複伝送を採用し、各スロットで１回のＰＵＳＣＨ重複のみが伝送可能であり、例えば、Ｋ＝４の場合、ＰＵＳＣＨが連続する４つのスロットで伝送されることである。第一タイプの上りスケジューリングフリー伝送スキームでは、ＲＲＣ（Ｒａｄｉｏ  Ｒｅｓｏｕｒｃｅ  Ｃｏｎｔｒｏｌ）シグナリングによって、開始スロット、スロット内の占有されるＯＦＤＭシンボルの数、及び周波数領域リソースの位置などの情報を端末に通知する。第二タイプの上りスケジューリングフリー伝送スキームでは、ＤＣＩ（Ｄｏｗｎｌｉｎｋ  Ｃｏｎｔｒｏｌ  Ｉｎｆｏｒｍａｔｉｏｎ）活性化シグナリングによって、開始スロット、スロット内の占有されるＯＦＤＭシンボルの数、及び周波数領域リソースの位置などの情報を端末に通知する。
【００３０】
５Ｇ  ＮＲでは、ＰＵＳＣＨ  ｍａｐｐｉｎｇ  ｔｙｐｅ  Ｂとは、スロット内の任意のＯＦＤＭシンボルから１〜１４個のＯＦＤＭシンボルにおいて、ＤＭＲＳが開始ＯＦＤＭシンボルに位置することである。
【００３１】
関連技術において、第一タイプの上りスケジューリングフリー伝送スキーム及び第二タイプの上りスケジューリングフリー伝送について、１つのスロットでデータの複数回の重複伝送をサポートすることを実現するスキームが提供されず、ネットワークの柔軟性が乏しいという問題を本開示の実施例は解決する。
【００３２】
本開示の実施例は、図１に示すように、データ伝送装置に適用されるデータ伝送方法を提供する。該データ伝送方法は、以下のステップ１１と、ステップ１２と、ステップ１３とを含む。
【００３３】
ステップ１１において、データ伝送を行う際に使用される伝送タイプを特定する。
【００３４】
具体的には、前記伝送タイプは、１つのスロット内でのターゲットデータの単回伝送と１つのスロット内でのターゲットデータの複数回の重複伝送とのうちの１つを含む。なお、ターゲットデータの単回伝送とは、１つのスロット内でターゲットデータが１回だけ伝送され得ることであり、ターゲットデータの複数回の重複伝送とは、１つのスロット内でターゲットデータが少なくとも１回伝送され得ることである。なお、この場合、１つのスロット内でターゲットデータの複数回の伝送の達成が保証できない場合には、１つのスロット内でターゲットデータが１回だけ伝送され得る。
【００３５】
なお、本実施例で言及されるターゲットデータは、ＰＵＳＣＨ（Ｐｈｙｓｉｃａｌ  Ｕｐｌｉｎｋ  Ｓｈａｒｅｄ  Ｃｈａｎｎｅｌ）であってもよく、ＰＤＳＣＨ（Ｐｈｙｓｉｃａｌ  Ｄｏｗｎｌｉｎｋ  Ｓｈａｒｅｄ  Ｃｈａｎｎｅｌ）であってもよい。
【００３６】
ステップ１２において、前記伝送タイプが、１つのスロット内でのターゲットデータの複数回の重複伝送である場合には、各スロット内で前記ターゲットデータを重複伝送する回数を特定する。
【００３７】
ステップ１３において、各スロットで前記ターゲットデータを重複伝送する回数に基づいて、前記ターゲットデータを伝送する。
【００３８】
なお、伝送タイプが複数回の重複伝送をサポートする場合、伝送によって占有されるスロットと各スロット内での重複伝送の回数を特定し、各ロット内での重複伝送の回数に基づいてターゲットデータの伝送を行う必要がある。これにより、１つのスロットでのターゲットデータの複数回の重複伝送が実現され、５Ｇ  ＮＲネットワーク通信の柔軟性が向上する。
【００３９】
なお、このデータ伝送方法は、端末側によりＰＵＳＣＨ伝送を行う場合に適用されてもよく、ネットワーク機器側によりＰＤＳＣＨ伝送を行う場合に適用されてもよい。具体的に、前記ターゲットデータがＰＵＳＣＨである場合、前記データ伝送装置が端末であり、前記データ伝送は、第一タイプの上りスケジューリングフリー伝送、第二タイプの上りスケジューリングフリー伝送、又は、上り動的スケジューリング伝送を含み、前記ターゲットデータがＰＤＳＣＨである場合、前記データ伝送装置がネットワーク機器であり、前記データ伝送は、下り動的スケジューリング伝送、又は下り半持続スケジューリング伝送を含む。
【００４０】
具体的に、ステップ１１の具体的な実施では、次の方式のうちの１つで実現され得る。
【００４１】
方式１
該方式では、ステップ１１は、
１つのスロット内で最初伝送の時間周波数リソース位置における開始ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル位置を取得することと、
開始ＯＦＤＭシンボル位置に基づいて、データ伝送を行う際に使用される伝送タイプを特定することとの実現過程で実現される。
【００４２】
具体的に、開始ＯＦＤＭシンボル位置に基づいて、データ伝送を行う際に使用される伝送タイプを特定することの実現方式の１つとしては、
前記開始ＯＦＤＭシンボル位置のインデックスが所定値よりも小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、を含む方式である。
【００４３】
例えば、１つのスロット内のＯＦＤＭシンボルのインデックスが０〜１３であり、開始ＯＦＤＭシンボルのインデックスが所定の値（例えば、７）より小さい場合、１つのスロット内で複数回の重複伝送が行われる一方、開始ＯＦＤＭシンボルのインデックスがある所定の値以上である場合に、１つのスロット内で単回の重複伝送が行われる。
【００４４】
具体的には、開始ＯＦＤＭシンボル位置に基づいて、データ伝送を行う際に使用される伝送タイプを特定することの別の実現方式としては、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、を含む方式である。
【００４５】
具体的には、前記第１所定のタイプが奇数タイプであり、前記第２所定のタイプが偶数タイプである。
【００４６】
例えば、１つのスロット内のＯＦＤＭシンボルのインデックスが  ０〜１３であり、開始ＯＦＤＭシンボルのインデックスが奇数タイプである場合、１つのスロット内で複数回の重複伝送が行われる一方、開始ＯＦＤＭシンボルのインデックスが偶数タイプである場合、１つのスロット内で単回の重複伝送が行われる。
【００４７】
方式２
該方式では、ステップ１１は、
伝送タイプの指示情報を取得することと、
前記伝送タイプの指示情報に基づいて、データ伝送を行う際に使用される伝送タイプを特定することとの実現過程で実現される。
【００４８】
なお、該伝送タイプの指示情報が、ターゲットデータシンボル割り当てテーブルの各インデックスの後に新たに追加された、伝送タイプを指示するためのフィールドである。
【００４９】
例えば、ターゲットデータがＰＵＳＣＨである場合、５Ｇ  ＮＲにおいて、ネットワーク機器は、ＲＲＣ（Ｒａｄｉｏ  Ｒｅｓｏｕｒｃｅ  Ｃｏｎｔｒｏｌ）シグナリングにより端末にＰＵＳＣＨシンボル割り当て（ＰＵＳＣＨ−ｓｙｍｂｏｌ  Ａｌｌｏｃａｔｉｏｎ）テーブルを設定する。該テーブルは、ネットワーク機器がＤＣＩを送信する時刻から端末がＰＵＳＣＨを送信する時刻までの間隔スロット（すなわち、Ｋ２）、開始・長さ指示値（すなわち、ＳＬＩＶであり、リソースの開始ＯＦＤＭシンボル、リソースにより占有されるＯＦＤＭシンボルの長さを指す）、ＰＵＳＣＨマッピングタイプなどの情報を含むＰＵＳＣＨの時間領域リソースを提供する。また、このテーブルには、１つのタイムスロット内での単回の重複伝送又は複数回の重複伝送の指示情報が追加される。端末は、特定のリソースでＰＵＳＣＨを送信するのが、１つのスロット内で単回の重複伝送それとも複数回の重複伝送で行われるかを確認するためにテーブルを直接検索することができる。
【００５０】
なお、ネットワーク機器は、今回の時間領域リソーススケジューリングの時に、１つのスロット内で単回の重複伝送それとも複数回の重複伝送を行うのかを指示するための１ビットのフィールドをＤＣＩに追加してもよい。また、ネットワーク機器は、時間領域割り当て（ｔｉｍｅＤｏｍａｉｎＡｌｌｏｃａｔｉｏｎ）と並列して、今回の時間領域リソーススケジューリングの時に１つのスロット内で単回の重複伝送それとも複数回の重複伝送を行うかを指示するためのサブメッセージをＲＲＣに追加してもよい。
【００５１】
具体的に、本開示の実施例のステップ１２は、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数（即ち、ターゲットデータの重複伝送の総回数）の重複伝送を完成できない場合には、各スロット内で前記ターゲットデータを重複伝送する回数を特定することと、を含む実現方式で実現される。
ここで、各スロットでの前記ターゲットデータを重複伝送するためのリソースが同じであり、前記ターゲットデータの前記ターゲット回数の重複伝送の完成によって占有されるスロットの数が最も少ない。なお、この場合、各スロット内で同じリソースが使用される。
【００５２】
例えば、端末がＰＵＳＣＨ伝送を行う際に、ターゲット回数は８回であり、１つのスロット内で８回の伝送を完成できない場合、端末は、各スロット内でＰＵＳＣＨを重複伝送する回数を特定するべきであり、端末が各スロット内で伝送可能なＰＵＳＣＨの最大回数を３回と特定した場合、各スロット内で前記ターゲットデータを重複伝送するためのリソースが同一であることを保証するために、ＰＵＳＣＨ伝送により４つのスロットを占有する必要があり、各スロット内でＰＵＳＣＨ伝送を２回行うことを特定する。
【００５３】
例えば、ＰＵＳＣＨが、Ｋ重複伝送を採用する場合、Ｋ＝１、２、４又は８である。各スロットで１つのＰＵＳＣＨ重複伝送しか行われない場合には、例えば、Ｋ＝４であり、ＰＵＳＣＨを連続した４つのスロットで伝送し、その各スロットで同じリソースが使用される。第一タイプの上りスケジューリングフリー伝送スキームについては、リソース周期、開始スロット、スロット内での最初伝送の時間周波数リソース位置、ＰＵＳＣＨの重複伝送の回数Ｋ、ＰＵＳＣＨのマッピングタイプ（すなわち、ＰＵＳＣＨ  ｍａｐｐｉｎｇ  ｔｙｐｅ  Ａ又はＰＵＳＣＨ  ｍａｐｐｉｎｇ  ｔｙｐｅ  Ｂ）などの情報が、ＲＲＣシグナリングにより端末に通知され、後続のスロットは、開始スロットの伝送状況と同じである。第二タイプの上りスケジューリングフリー伝送スキームについては、ネットワーク機器は、ＲＲＣシグナリングにより、端末に、リソース周期、ＰＵＳＣＨの重複伝送の回数Ｋ、ＰＵＳＣＨのマッピングタイプ（すなわち、ＰＵＳＣＨ  ｍａｐｐｉｎｇ  ｔｙｐｅ  Ａ又はＰＵＳＣＨ  ｍａｐｐｉｎｇ  ｔｙｐｅ  Ｂ）などの情報を設定する。ネットワーク機器は、活性化シグナリングにより、端末に、開始スロット、スロット内での最初伝送の時間周波数リソース位置を設定する。後続のスロットは、開始スロットの伝送状況と同じである。
【００５４】
具体的には、各スロット内で前記ターゲットデータを重複伝送する回数を特定することは、
式：Ｍ＝Ｋ／Ｎに基づいて、各スロット内で前記ターゲットデータを重複伝送する回数を特定することを含む。
ここで、Ｍは、各スロットでの伝送回数であり、Ｋはターゲット回数であり、Ｎは前記ターゲットデータの伝送によって占有されるスロットの数である。
【００５５】
なお、データ伝送は、端末側に応用される際に、５Ｇ  ＮＲの第一タイプの上りスケジューリングフリー伝送スキームにおいて、ネットワーク機器は、端末に、ＲＲＣシグナリングにより、リソース周期、開始スロット、スロット内での最初伝送の時間周波数リソース位置、ＰＵＳＣＨの重複伝送の回数Ｋ、ＰＵＳＣＨのマッピングタイプ（すなわち、ＰＵＳＣＨ  ｍａｐｐｉｎｇ  ｔｙｐｅ  Ａ又はＰＵＳＣＨ  ｍａｐｐｉｎｇ  ｔｙｐｅ  Ｂ）などの情報を設定する。５Ｇ  ＮＲの第二タイプの上りスケジューリングフリー伝送スキームにおいて、ネットワーク機器は、端末に、ＲＲＣシグナリングにより、リソース周期、ＰＵＳＣＨの重複伝送の回数Ｋ、ＰＵＳＣＨのマッピングタイプ（すなわち、ＰＵＳＣＨ  ｍａｐｐｉｎｇ  ｔｙｐｅ  Ａ又はＰＵＳＣＨ  ｍａｐｐｉｎｇ  ｔｙｐｅ  Ｂ）などの情報を設定する。ネットワーク機器は、端末に、活性化シグナリングにより、開始スロット、スロット内での最初伝送の時間周波数リソース位置を設定する。
【００５６】
以下、端末がＰＵＳＣＨを伝送することを例とし、具体的な伝送ケースを以下に例示する。以下の各ケースにおいて、１つのスロット内のＯＦＤＭシンボルのインデックスはいずれも０〜１３である。
【００５７】
ケース１は、第一タイプの上りスケジューリングフリー伝送の場合、本開示の実施例の具体的な実現は、次のようになる。
【００５８】
ネットワーク機器は、端末に、ＲＲＣシグナリングにより、リソース周期Ｐが４つのスロットであり、開始スロットが周期内の２番目のスロットであり、スロット内での最初伝送の時間周波数リソース位置がＯＦＤＭシンボルインデックス３であり、時間領域リソース長が２つのＯＦＤＭシンボルであり、ＰＵＳＣＨ重複伝送の回数がＫ＝４であり、ＰＵＳＣＨのマッピングタイプがＰＵＳＣＨ  ｍａｐｐｉｎｇ  ｔｙｐｅ  Ｂであるなどの情報を設定する。１つのスロットには１４個のＯＦＤＭシンボルがあり、上記の設定では、奇数であるＯＦＤＭシンボルインデックス３から始まるので、１つのスロット内で複数回の重複伝送が行われ、毎回の重複伝送は、２つのＯＦＤＭシンボルを占有するので、１つのスロット内で必要な４回の重複伝送を完成することができる。
【００５９】
上記設定によって、端末は、各周期において、２番目のスロット内で、ＯＦＤＭシンボルインデックス３と４で第１回のＰＵＳＣＨの重複伝送を行い、ＯＦＤＭシンボルインデックス５と６で第２回のＰＵＳＣＨの重複伝送を行い、ＯＦＤＭシンボルインデックス７と８で第３回のＰＵＳＣＨの重複伝送を行い、ＯＦＤＭシンボルインデックス９と１０で第４回のＰＵＳＣＨの重複伝送を行う。各重複伝送の周波数領域リソースの位置が同じであり、具体的な伝送状況を図２に示す。
【００６０】
ケース２は、第一タイプの上りスケジューリングフリー伝送では、ＰＵＳＣＨ  ｍａｐｐｉｎｇ  ｔｙｐｅ  Ｂスキームを採用する場合、本開示の実施例の具体的な実現は、次のようになる。
【００６１】
ネットワーク機器は、端末に、ＲＲＣシグナリングにより、リソース周期Ｐが４つのスロットであり、開始スロットが周期内の２番目のスロットであり、スロット内での最初伝送の時間周波数リソース位置がＯＦＤＭシンボルインデックス３であり、時間領域リソース長が３つのＯＦＤＭシンボルであり、ＰＵＳＣＨ重複伝送の回数がＫ＝４であり、ＰＵＳＣＨのマッピングタイプがＰＵＳＣＨ  ｍａｐｐｉｎｇ  ｔｙｐｅ  Ｂであるなどの情報を設定する。１つのスロットには、１４個のＯＦＤＭシンボルがあり、上記の設定では、奇数であるＯＦＤＭシンボルインデックス３から始まるので、１つのスロット内で複数回の重複伝送が行われ、毎回の重複伝送は３つのＯＦＤＭシンボルを占有するので、１つのスロット内で必要な４回の重複伝送を完成することができない。その場合、２つのスロット内で４回の重複伝送を行う必要がある。
【００６２】
上記設定によって、端末は、各周期において、２番目のスロット内で、ＯＦＤＭシンボルインデックス３〜５で第１回のＰＵＳＣＨの重複伝送を行い、ＯＦＤＭシンボルインデックス６〜８で第２回のＰＵＳＣＨの重複伝送を行い、次のスロットに移行して、ＯＦＤＭシンボルインデックス３〜５で第３回のＰＵＳＣＨの重複伝送を行い、ＯＦＤＭシンボルインデックス６〜８で第４回のＰＵＳＣＨの重複伝送を行う。二つのスロットで、同じ時間周波数リソース位置を占有する。各重複伝送の周波数領域リソースの位置が同じであり、具体的な伝送状況を図３に示す。
【００６３】
ケース３は、第一タイプの上りスケジューリングフリー伝送では、ＰＵＳＣＨ  ｍａｐｐｉｎｇ  ｔｙｐｅ  Ｂスキームを採用する場合、本開示の実施例の具体的な実現は、次のようになる。
【００６４】
ネットワーク機器は、ＵＥに、ＲＲＣシグナリングにより、リソース周期Ｐが４つのスロットであり、開始スロットが周期内の１番目のスロットであり、スロット内での最初伝送の時間周波数リソース位置がＯＦＤＭシンボルインデックス２であり、時間領域リソース長が２つのＯＦＤＭシンボルであり、ＰＵＳＣＨ重複伝送の回数がＫ＝４であり、ＰＵＳＣＨのマッピングタイプがＰＵＳＣＨ  ｍａｐｐｉｎｇ  ｔｙｐｅ  Ｂであるなどの情報を設定する。１つのスロットには１４個のＯＦＤＭシンボルがあり、上記の設定では、偶数であるＯＦＤＭシンボルインデックス２から始まるので、１つのスロット内で単回の重複伝送が行われ、毎回の重複伝送は、２つのＯＦＤＭシンボルを占有する。
【００６５】
上記設定によって、端末は、各周期において、１番目のスロット内でＯＦＤＭシンボルインデックス２と３で第１回のＰＵＳＣＨの重複伝送を行い、２番目のスロット内でＯＦＤＭシンボルインデックス２と３で第２回のＰＵＳＣＨの重複伝送を行い、３番目のスロット内でＯＦＤＭシンボルインデックス２と３で第３回のＰＵＳＣＨの重複伝送を行い、４番目のスロット内でＯＦＤＭシンボルインデックス２と３で第４回のＰＵＳＣＨの重複伝送を行う。各重複伝送の周波数領域リソースの位置が同じであり、具体的な伝送状況を図４に示す。
【００６６】
ケース４は、第一タイプの上りスケジューリングフリー伝送では、ＰＵＳＣＨ  ｍａｐｐｉｎｇ  ｔｙｐｅ  Ｂスキームを採用する場合、本開示の実施例の具体的な実現は、次のようになる。
【００６７】
ネットワーク機器は、端末に、ＲＲＣシグナリングにより、リソース周期Ｐが４つのスロットであり、開始スロットが周期内の１番目のスロットであり、スロット内での最初伝送の時間周波数リソース位置がＯＦＤＭシンボルインデックス７であり、時間領域リソース長が２つのＯＦＤＭシンボルであり、ＰＵＳＣＨ重複伝送の回数がＫ＝４であり、ＰＵＳＣＨのマッピングタイプがＰＵＳＣＨ  ｍａｐｐｉｎｇ  ｔｙｐｅ  Ｂであるなどの情報を設定する。所定の値Ｖが、標準で指定されるか、ＲＲＣにより設定される。例えば、Ｖ＝７である。開始ＯＦＤＭシンボルのインデックスがＶより小さい場合、１つのスロット内で複数回の重複伝送が行われる一方、開始ＯＦＤＭシンボルのインデックスがＶ以上の場合、１スロット内で単回の重複伝送が行われる。
【００６８】
１つのスロットには１４個のＯＦＤＭシンボルがあり、上記の設定では、ＯＦＤＭシンボルインデックス７から始まり、開始ＯＦＤＭシンボルのインデックスが７以上であるので、１つのスロット内で単回の重複伝送が行われ、各重複伝送は、２つのＯＦＤＭシンボルを占有する。
【００６９】
上記設定によって、ＵＥは、各周期において、１番目のスロット内でＯＦＤＭシンボルインデックス７と８で第１回のＰＵＳＣＨの重複伝送を行い、２番目のスロット内でＯＦＤＭシンボルインデックス７と８で第２回のＰＵＳＣＨの重複伝送を行い、３番目のスロット内でＯＦＤＭシンボルインデックス７と８で第３回のＰＵＳＣＨの重複伝送を行い、４番目のスロット内でＯＦＤＭシンボルインデックス７と８で第４回のＰＵＳＣＨの重複伝送を行う。各重複伝送の周波数領域リソースの位置が同じであり、具体的な伝送状況を図５に示す。
【００７０】
ケース５は、第二タイプの上りスケジューリングフリー伝送では、ＰＵＳＣＨ  ｍａｐｐｉｎｇ  ｔｙｐｅ  Ｂスキーム又はＰＵＳＣＨ  ｍａｐｐｉｎｇ  ｔｙｐｅ  Ａスキームを採用する場合、本開示の実施例の具体的な実現は、次のようになる。
【００７１】
５Ｇ  ＮＲでは、ネットワーク機器は  ＲＲＣシグナリングにより、ＰＵＳＣＨ−ｓｙｍｂｏｌ  Ａｌｌｏｃａｔｉｏｎテーブルを設定する。該テーブルは、Ｋ２、ＳＬＩＶ、ＰＵＳＣＨマッピングタイプなどの情報を含むＰＵＳＣＨの時間領域リソースを提供する。該テーブルには、１つのスロット内での単回の重複伝送又は複数回の重複伝送の指示情報を追加してもよい。テーブル１の示すように、
【表１】
2021525017.tif 000003
ネットワーク機器が、活性化シグナリングを用して端末にＰＵＳＣＨ伝送を開始するよう通知すると、ＤＣＩの時間領域リソース指示によってｉｎｄｅｘが与えられる。すなわち、上記テーブル１における第１列のある値が与えられる。例えば１２の場合、端末は、このテーブル及びＤＣＩにおけるｉｎｄｅｘ＝１２に従って、対応する単回の重複伝送又は複数回の重複伝送の指示が複数回の重複伝送であることを特定し、１つのスロット内で複数回の重複伝送を行う。
【００７２】
なお、本開示の実施例で言及される時間周波数領域リソースの位置は、準静的であるため、本開示はスケジューリングの柔軟性にほとんど影響を与えない。本開示の実施例は、伝送タイプが１つのスロット内でのターゲットデータの複数回の重複伝送である場合に、各タイムスロット内で前記ターゲットデータを重複伝送する回数を特定し、その重複伝送の回数に基づいて、ターゲットデータを伝送することで、１つのスロットでの複数回の重複伝送のスキームを実現し、ネットワーク通信フローを改善し、ネットワーク通信の柔軟性を向上させる。
【００７３】
なお、本開示の実施例は、時間周波数領域リソースの位置が動的スケジューリングされる状況に適用される。
【００７４】
本開示の実施例は、図６に示すように、データ伝送装置６０を提供する。
該データ伝送装置６０は、
データ伝送を行う際に使用される、１つのスロット内でのターゲットデータの単回伝送と１つのスロット内でのターゲットデータの複数回の重複伝送とのうちの１つを含む伝送タイプを特定することに用いられる第１特定モジュール６１と、
前記伝送タイプが、１つのスロット内でのターゲットデータの複数回の重複伝送である場合には、各スロット内で前記ターゲットデータを重複伝送する回数を特定することに用いられる第２特定モジュール６２と、
各スロットで前記ターゲットデータを重複伝送する回数に基づいて、前記ターゲットデータを伝送することに用いられる伝送モジュール６３と、を含む。
【００７５】
選択的に、前記第１特定モジュール６１は、
１つのスロット内で最初伝送の時間周波数リソース位置における開始ＯＦＤＭシンボル位置を取得することに用いられる第１取得サブモジュールと、
開始ＯＦＤＭシンボル位置に基づいて、データ伝送を行う際に使用される伝送タイプを特定することに用いられる第１特定サブモジュールと、を含む。
【００７６】
選択的に、前記第１特定サブモジュールは、
前記開始ＯＦＤＭシンボル位置のインデックスが所定値より小さいか否かを判定することに用いられる第１判定ユニットと、
前記開始ＯＦＤＭシンボル位置のインデックスが前記所定値より小さい場合に、１つのスロット内でのターゲットデータの複数回の重複伝送として伝送タイプを特定することに用いられる第１特定ユニットと、
前記開始ＯＦＤＭシンボル位置のインデックスが前記所定値以上である場合に、１つのスロット内でのターゲットデータの単回伝送として伝送タイプを特定することに用いられる第２特定ユニットと、含む。
【００７７】
選択的に、前記第１特定サブモジュールは、
前記開始ＯＦＤＭシンボル位置のインデックスのタイプを特定することに用いられる第３特定ユニットと、
前記開始ＯＦＤＭシンボル位置のインデックスが第１所定のタイプである場合に、１つのスロット内でのターゲットデータの複数回の重複伝送として伝送タイプを特定することに用いられる第４特定ユニットと、
前記開始ＯＦＤＭシンボル位置のインデックスが第２所定のタイプである場合に、１つのスロット内でのターゲットデータの単回伝送として伝送タイプを特定することに用いられる第５特定ユニットと、を含み、
具体的には、前記第１所定のタイプが奇数タイプであり、前記第２所定のタイプが偶数タイプである。
【００７８】
選択的に、前記第１特定モジュール６１は、
伝送タイプの指示情報を取得することに用いられる第２取得サブモジュールと、
前記伝送タイプの指示情報に基づいて、データ伝送を行う際に使用される伝送タイプを特定することに用いられる第２特定サブモジュールと、を含む。
具体的に、前記伝送タイプの指示情報が、ターゲットデータシンボル割り当てテーブルの各インデックスの後に新たに追加された、伝送タイプを指示するためのフィールドである。
【００７９】
さらに、前記第２特定モジュール６２は、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することに用いられる第３特定サブモジュールと、
１つのスロット内で前記ターゲットデータのターゲット回数の重複伝送を完成できない場合には、各スロット内で前記ターゲットデータを重複伝送する回数を特定することに用いられる第４特定サブモジュールと、を含み、
ここで、各スロットでの前記ターゲットデータを重複伝送するためのリソースが同じであり、前記ターゲットデータの前記ターゲット回数の重複伝送の完成によって占有されるスロットの数が最も少ない。
【００８０】
具体的に、前記第４特定サブモジュールは、
式：Ｍ＝Ｋ／Ｎに基づいて、各スロット内で前記ターゲットデータを重複伝送する回数を特定することに用いられ、
ここで、Ｍは各スロットでの伝送回数であり、Ｋはターゲット回数であり、Ｎは前記ターゲットデータの伝送によって占有されるスロットの数である。
【００８１】
選択的に、前記ターゲットデータがＰＵＳＣＨである場合、前記データ伝送装置が端末であり、前記データ伝送は、第一タイプの上りスケジューリングフリー伝送、第二タイプの上りスケジューリングフリー伝送、又は、上り動的スケジューリング伝送を含む。
【００８２】
選択的に、前記ターゲットデータがＰＤＳＣＨである場合、前記データ伝送装置がネットワーク機器であり、前記データ伝送は、下り動的スケジューリング伝送、又は下り半持続スケジューリング伝送を含む。
【００８３】
なお、該装置の実施例は、上記方法の実施例に一対一に対応する装置に係り、上記方法の実施例における全ての実現形態が、該装置の実施例に適用可能であり、該方法の実施例と同様の技術的効果を奏することができる。
【００８４】
また、本開示は、図７に示すように、プロセッサ７１と、トランシーバ７２と、メモリ７３と、前記メモリ７３に記憶している、前記プロセッサ７１上で実行可能なコンピュータプログラムとを含むデータ伝送装置７０を更に提供する。ここで、トランシーバ７２は、バスインタフェースを介してプロセッサ７１及びメモリ７３に接続され、前記プロセッサ７１は、メモリ内のプログラムを読み出して、
データ伝送を行う際に使用される、１つのスロット内でのターゲットデータの単回伝送（Ｓｉｎｇｌｅ  ｔｒａｎｓｍｉｓｓｉｏｎ）と１つのスロット内でのターゲットデータの複数回の重複伝送とのうちの１つを含む伝送タイプを特定するプロセスと、
前記伝送タイプが、１つのスロット内でのターゲットデータの複数回の重複伝送である場合には、各スロット内で前記ターゲットデータを重複伝送する回数を特定するプロセスと、
各スロット内で前記ターゲットデータを重複伝送する回数に基づいて、トランシーバ７２により前記ターゲットデータを伝送するプロセスと、を実行する。
【００８５】
なお、図７において、バスアーキテクチャは、任意数の相互接続するバスとブリッジを含み、具体的に、プロセッサ７１をはじめとする１つ又は複数のプロセッサとメモリ７３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ７２は、複数の部品であってもよく、即ち送信機と受信機を含み、伝送媒体でほかの各種類の装置と通信するユニットとして提供される。異なる端末について、プロセッサ７１は、バスアーキテクチャと通常の処理を管理する。メモリ７３は、プロセッサ７１による操作実行に使用されるデータを記憶できる。
【００８６】
選択的に、前記プロセッサが前記コンピュータプログラムを実行すると、
１つのスロット内で最初伝送の時間周波数リソース位置における開始ＯＦＤＭシンボル位置を取得するステップと、
開始ＯＦＤＭシンボル位置に基づいて、データ伝送を行う際に使用される伝送タイプを特定するステップとを実現する。
【００８７】
さらに、前記プロセッサが前記プログラムを実行すると、
前記開始ＯＦＤＭシンボル位置のインデックスが所定値よりも小さいか否かを判定するステップと、
前記開始ＯＦＤＭシンボル位置のインデックスが前記所定値よりも小さい場合に、１つのスロット内でのターゲットデータの複数回の重複伝送として伝送タイプを特定するステップと、
前記開始ＯＦＤＭシンボル位置のインデックスが前記所定値以上である場合に、１つのスロット内でのターゲットデータの単回伝送として伝送タイプを特定するステップと、を実現する。
【００８８】
さらに、前記プロセッサが前記プログラムを実行すると、
前記開始ＯＦＤＭシンボル位置のインデックスのタイプを特定するステップと、
前記開始ＯＦＤＭシンボル位置のインデックスが第１所定のタイプである場合に、１つのスロット内でのターゲットデータの複数回の重複伝送として伝送タイプを特定するステップと、
前記開始ＯＦＤＭシンボル位置のインデックスが第２所定のタイプである場合に、１つのスロット内でのターゲットデータの単回伝送として伝送タイプを特定するステップと、を実現し、
具体的には、前記第１所定のタイプが奇数タイプであり、前記第２所定のタイプが偶数タイプである。
【００８９】
選択的に、前記プロセッサが前記コンピュータプログラムを実行すると、
伝送タイプの指示情報を取得するステップと、
前記伝送タイプの指示情報に基づいて、データ伝送を行う際に使用される伝送タイプを特定するステップと、を実現する。
【００９０】
具体的に、前記伝送タイプの指示情報が、ターゲットデータシンボル割り当てテーブルの各インデックスの後に新たに追加された、伝送タイプを指示するためのフィールドである。
【００９１】
選択的に、前記プロセッサが前記コンピュータプログラムを実行すると、
スロット内で最初伝送の時間周波数リソース位置における開始ＯＦＤＭシンボル位置及び占有されるシンボルの数とに基づいて、１つのスロット内で前記ターゲットデータを重複伝送する回数を特定するステップと、
１つのスロット内で前記ターゲットデータのターゲット回数の重複伝送を完成できない場合には、各スロット内で前記ターゲットデータを重複伝送する回数を特定するステップと、を実現し、
ここで、各スロットでの前記ターゲットデータを重複伝送するためのリソースが同じであり、前記ターゲットデータの前記ターゲット回数の重複伝送の完成によって占有されるスロットの数が最も少ない。
【００９２】
選択的に、前記プロセッサが前記コンピュータプログラムを実行すると、
式：Ｍ＝Ｋ／Ｎに基づいて、各スロット内で前記ターゲットデータを重複伝送する回数を特定するステップを実現し、
ここで、Ｍは各スロットでの伝送回数であり、Ｋはターゲット回数であり、Ｎは前記ターゲットデータの伝送によって占有されるスロットの数である。
【００９３】
具体的に、前記ターゲットデータがＰＵＳＣＨである場合、前記データ伝送装置が端末であり、前記データ伝送は、第一タイプの上りスケジューリングフリー伝送、第二タイプの上りスケジューリングフリー伝送、又は、上り動的スケジューリング伝送を含む。
具体的に、前記ターゲットデータがＰＤＳＣＨである場合、前記データ伝送装置がネットワーク機器であり、前記データ伝送は、下り動的スケジューリング伝送、又は下り半持続スケジューリング伝送を含む。
【００９４】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がいったいハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【００９５】
記載の便利や簡潔化のために、以上記載したシステム、装置及びユニットの具体的な動作プロセスは、前記方法実施例における対応プロセスを参照されたく、ここでは繰り返して記載しない。これは、当業者にとって自明である。
【００９６】
本願で提供されるいくつかの実施例において、開示された装置及び方法は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【００９７】
以上個別部品として説明したユニットは、物理的に離間したものであってもよく、そうでなくてもよい。ユニットとして示した部品は、物理ユニットであってもよく、そうでなくてもよい。すなわち、一箇所に位置してもよく、複数のネットワークユニットに位置してもよい。実際の必要に応じてそのうちの一部又はすべてのユニットを選択して本開示の実施例の目的を実現する。
【００９８】
また、本開示の各実施例における各機能的ユニットは、１つの処理ユニットに一体化されていてもよいし、物理的に別々に設けられていてもよいし、２つ以上が一体化されてもよい。
【００９９】
前記機能は、ソフトウェア機能ユニットの形態で実現され、独立した製品として販売又は使用される場合、コンピュータ可読記憶媒体に記憶され得る。この理解に基づいて、本開示の技術ソリューションは、本質的に、又は従来技術に寄与する部分、又は、該技術ソリューションの一部は、コンピュータソフトウェア製品の形で具体化することができ、コンピュータソフトウェア製品は、記憶媒体に記憶され、（パソコン、サーバー、又はネットワーク機器などであってもよい）コンピュータ機器に、この開示の各実施例で説明した方法のすべて又は一部のステップを実行させるために用いられるいくつかの命令を含む。上記の記憶媒体は、ＵＳＢディスク、モバイルハードドライブ、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、又は光ディスクなど、プログラムコードを記憶できるさまざまな媒体を含む。
【０１００】
当業者は、上述した実施例の方法の全部又は一部のフローを実現するプロセスが、コンピュータプログラムによって関連するハードウェアが制御されることで実現できることを理解でき、前記プログラムは、コンピュータ可読記憶媒体に記憶され、プログラムの実行は、上記の各方法の実施例のフローを含み得る。前記記憶媒体は、磁気ディスク、光ディスク、ＲＯＭ、又はＲＡＭ等であり得る。
【０１０１】
本開示の実施例が、プロセッサによって実行されると、上記データ伝送方法のステップを実現するコンピュータプログラムを記憶しているコンピュータ可読記憶媒体を提供する。
【０１０２】
なお、本開示の実施例に言及されるネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）におけるＢＴＳ（Ｂａｓｅ  Ｔｒａｎｓｃｅｉｖｅｒ  Ｓｔａｔｉｏｎ）だったり、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）だったり、ＬＴＥにおけるｅＮＢ又はｅＮｏｄｅＢ（Ｅｖｏｌｕｔｉｏｎａｌ  Ｎｏｄｅ  Ｂ）だったり、中継ステーション又はアクセスポイントだったり、将来の５Ｇネットワーク内の基地局などだったりすればよく、ここで限定されたものではない。
【０１０３】
本開示の好ましい実施例について上述したが、当業者であれば、本開示の原理から逸脱することなく、本開示の保護範囲とみなされるべきいくつかの改良及び修飾を行うことができる。
【図１】
2021525017.tif 000004
【図２】
2021525017.tif 000005
【図３】
2021525017.tif 000006
【図４】
2021525017.tif 000007
【図５】
2021525017.tif 000008
【図６】
2021525017.tif 000009
【図７】
2021525017.tif 000010
【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
データ伝送装置に適用されるデータ伝送方法であって、
データ伝送を行う際に使用される、１つのスロット内でのターゲットデータの単回伝送と１つのスロット内でのターゲットデータの複数回の重複伝送とのうちの１つを含む伝送タイプを特定することと、
前記伝送タイプが、１つのスロット内でのターゲットデータの複数回の重複伝送である場合には、各スロット内で前記ターゲットデータを重複伝送する回数を特定することと、
各スロットで前記ターゲットデータを重複伝送する回数に基づいて、前記ターゲットデータを伝送することと、を含むデータ伝送方法。
【請求項２】
データ伝送を行う際に使用される伝送タイプを特定することは、
１つのスロット内で最初伝送の時間周波数リソース位置における開始ＯＦＤＭシンボル位置を取得することと、
開始ＯＦＤＭシンボル位置に基づいて、データ伝送を行う際に使用される伝送タイプを特定することと、を含む請求項１に記載のデータ伝送方法。
【請求項３】
開始ＯＦＤＭシンボル位置に基づいて、データ伝送を行う際に使用される伝送タイプを特定することは、
前記開始ＯＦＤＭシンボル位置のインデックスが所定値より小さいか否かを判定することと、
前記開始ＯＦＤＭシンボル位置のインデックスが前記所定値より小さい場合に、１つのスロット内でのターゲットデータの複数回の重複伝送として伝送タイプを特定することと、
前記開始ＯＦＤＭシンボル位置のインデックスが前記所定値以上である場合に、１つのスロット内でのターゲットデータの単回伝送として伝送タイプを特定することと、を含む請求項２に記載のデータ伝送方法。
【請求項４】
開始ＯＦＤＭシンボル位置に基づいて、データ伝送を行う際に使用される伝送タイプを特定することは、
前記開始ＯＦＤＭシンボル位置のインデックスのタイプを特定することと、
前記開始ＯＦＤＭシンボル位置のインデックスが第１所定のタイプである場合に、１つのスロット内でのターゲットデータの複数回の重複伝送として伝送タイプを特定することと、
前記開始ＯＦＤＭシンボル位置のインデックスが第２所定のタイプである場合に、１つのスロット内でのターゲットデータの単回伝送として伝送タイプを特定することと、を含む請求項２に記載のデータ伝送方法。
【請求項５】
前記第１所定のタイプが奇数タイプであり、前記第２所定のタイプが偶数タイプである請求項４に記載のデータ伝送方法。
【請求項６】
データ伝送を行う際に使用される伝送タイプを特定することは、
伝送タイプの指示情報を取得することと、
前記伝送タイプの指示情報に基づいて、データ伝送を行う際に使用される伝送タイプを特定することと、を含む請求項１に記載のデータ伝送方法。
【請求項７】
前記伝送タイプの指示情報が、ターゲットデータシンボル割り当てテーブルの各インデックスの後に新たに追加された、伝送タイプを指示するためのフィールドである請求項６に記載のデータ伝送方法。
【請求項８】
各スロット内で前記ターゲットデータを重複伝送する回数を特定することは、
スロット内で最初伝送の時間周波数リソース位置における開始ＯＦＤＭシンボル位置及び占有されるシンボルの数とに基づいて、１つのスロット内で前記ターゲットデータを重複伝送する回数を特定することと、
１つのスロット内で前記ターゲットデータのターゲット回数の重複伝送を完成できない場合には、各スロット内で前記ターゲットデータを重複伝送する回数を特定することと、を含み、
各スロットでの前記ターゲットデータを重複伝送するためのリソースが同じであり、前記ターゲットデータの前記ターゲット回数の重複伝送の完成によって占有されるスロットが最も少ない、請求項１に記載のデータ伝送方法。
【請求項９】
各スロット内で前記ターゲットデータを重複伝送する回数を特定することは、
式：Ｍ＝Ｋ／Ｎに基づいて、各スロット内で前記ターゲットデータを重複伝送する回数を特定することを含み、
ここで、Ｍは各スロットでの伝送回数であり、Ｋはターゲット回数であり、Ｎは前記ターゲットデータの伝送によって占有されるスロットの数である、請求項８に記載のデータ伝送方法。
【請求項１０】
前記ターゲットデータがＰＵＳＣＨ（Ｐｈｙｓｉｃａｌ  Ｕｐｌｉｎｋ  Ｓｈａｒｅｄ  Ｃｈａｎｎｅｌ）である場合、前記データ伝送装置が端末であり、前記データ伝送は、第一タイプの上りスケジューリングフリー伝送、第二タイプの上りスケジューリングフリー伝送又は上り動的スケジューリング伝送である、請求項１〜９のいずれか１項に記載のデータ伝送方法。
【請求項１１】
前記ターゲットデータがＰＤＳＣＨ（Ｐｈｙｓｉｃａｌ  Ｄｏｗｎｌｉｎｋ  Ｓｈａｒｅｄ  Ｃｈａｎｎｅｌ）である場合、前記データ伝送装置がネットワーク機器であり、前記データ伝送は、下り動的スケジューリング伝送、又は下り半持続スケジューリング伝送である、請求項１〜９のいずれか１項に記載のデータ伝送方法。
【請求項１２】
データ伝送装置であって、
データ伝送を行う際に使用される、１つのスロット内でのターゲットデータの単回伝送と１つのスロット内でのターゲットデータの複数回の重複伝送とのうちの１つを含む伝送タイプを特定することに用いられる第１特定モジュールと、
前記伝送タイプが、１つのスロット内でのターゲットデータの複数回の重複伝送である場合には、各スロット内で前記ターゲットデータを重複伝送する回数を特定することに用いられる第２特定モジュールと、
各スロットで前記ターゲットデータを重複伝送する回数に基づいて、前記ターゲットデータを伝送することに用いられる伝送モジュールと、を含むデータ伝送装置。
【請求項１３】
前記第１特定モジュールは、
１つのスロット内で最初伝送の時間周波数リソース位置における開始ＯＦＤＭシンボル位置を取得することに用いられる第１取得サブモジュールと、
開始ＯＦＤＭシンボル位置に基づいて、データ伝送を行う際に使用される伝送タイプを特定することに用いられる第１特定サブモジュールと、を含む請求項１２に記載のデータ伝送装置。
【請求項１４】
前記第１特定サブモジュールは、
前記開始ＯＦＤＭシンボル位置のインデックスが所定値よりも小さいか否かを判定することに用いられる第１判定ユニットと、
前記開始ＯＦＤＭシンボル位置のインデックスが前記所定値よりも小さい場合に、１つのスロット内でのターゲットデータの複数回の重複伝送として伝送タイプを特定することに用いられる第１特定ユニットと、
前記開始ＯＦＤＭシンボル位置のインデックスが前記所定値以上である場合に、１つのスロット内でのターゲットデータの単回伝送として伝送タイプを特定することに用いられる第２特定ユニットと、を含む請求項１３に記載のデータ伝送装置。
【請求項１５】
前記第１特定サブモジュールは、
前記開始ＯＦＤＭシンボル位置のインデックスのタイプを特定することに用いられる第３特定ユニットと、
前記開始ＯＦＤＭシンボル位置のインデックスが第１所定のタイプである場合に、１つのスロット内でのターゲットデータの複数回の重複伝送として伝送タイプを特定することに用いられる第４特定ユニットと、
前記開始ＯＦＤＭシンボル位置のインデックスが第２所定のタイプである場合に、１つのスロット内でのターゲットデータの単回伝送として伝送タイプを特定することに用いられる第５特定ユニットと、を含む請求項１３に記載のデータ伝送装置。
【国際調査報告】
2021525017.tif 000011
2021525017.tif 000012
2021525017.tif 000013
2021525017.tif 000014